(57)【特許請求の範囲】
【請求項１】
時計ケース胴の側面に突出しているリューズが不用意に操作されることを防止する機能を有する構造体であって、時計を正面から眺めたとき前記リューズの両側面と外側を囲む可動のガード部材を設け、前記時計ケース胴の側面には、前記ガード部材の両端部のそれぞれに対して時計の下面側または上面側から重なる２つの突出部を設け、前記ガード部材の一方の端部は前記突出部の一方に対して軸止されていると共に、前記ガード部材の他方の端部と前記突出部の他方との間には、前記時計の上面側または下面側から押す操作によって解除できる係止機構を設け、前記リューズの操作をするときは、前記係止機構を解除して前記ガード部材を時計面に平行に開いて前記リューズから遠ざけることを特徴とするリューズガード。
【請求項２】
前記係止機構は、前記ガード部材の他方の端部を時計の上面側または下面側から前記突出部の他方に向かって貫通する穴と、前記突出部の他方に備えられ、時計の上面側または下面側に付勢されて前記穴内に時計下面側または上面側から嵌入する突起を有する係止部材と、前記穴内を移動可能であって時計の上面側または下面側から押すことによって前記係止部材を前記穴内から排除できる係止解除部材とを含むことを特徴とする請求項１に記載のリューズガード。
【請求項３】
前記係止解除部材の上端部または前記穴の上縁は、前記ガード部材に開き方向の力を加えるための引っかかりとしても機能することを特徴とする請求項２に記載のリューズガード。
【請求項４】
前記係止解除部材は、前記穴内を摺動するプッシュボタンであり、該プッシュボタンは係止解除のため押し込まれたとき前記ガード部材の上面側または下面側に突出する部分を残し、該突出する部分は前記ガード部材を開くための指掛かりとなることを特徴とする請求項３に記載のリューズガード。
【請求項５】
前記係止解除部材は、前記穴内を摺動し、上端を先端の細い物体で押すことができる軸部材であり、該軸部材の上端は係止解除のため押し込まれたとき前記穴の上縁より僅かに沈むことにより、前記穴の上縁は前記先端の細い物体から加えられる、前記ガード部材を開く力を受けることができることを特徴とする請求項３に記載のリューズガード。
【請求項６】
互いに接触する前記係止解除部材の下面と前記係止部材の突起の上面は、それぞれ凸面
をなすことを特徴とする請求項２から５のいずれか１項に記載のリューズガード。
【請求項７】
前記ガード部材が開いた状態からリューズをガードする閉じた状態に復帰するとき、前記係止部材の突起に当接し、該突起を前記突出部の他方の内部に押し沈めて復帰を容易にするための斜面を、前記ガード部材の他方の端部の下側でかつ前記時計ケース胴に向かう部分に設けたことを特徴とする請求項２から６のいずれか１項に記載のリューズガード。
【請求項８】
前記ガード部材が閉じた状態にあるとき、該ガード部材の前記係止部材に近い部分の一部は、時計のベゼルの下面側に嵌入していることを特徴とする請求項２から７のいずれか１項に記載のリューズガード。
【発明の詳細な説明】
【技術分野】
【０００１】
本発明は、時計等において、リューズが不用意に操作されることを防止する、リューズガード機構の構造に関する。
【背景技術】
【０００２】
近年、時計、特に腕時計等携帯時計のリューズの有する役割は、時刻合わせにとどまらず、その軸方向の移動と回転を組み合わせて、多機能時計における、機能の選択、修正、調節およびその他の操作に広く用いられる。
【０００３】
故に、時計の使用中、リューズが引き出されたり、押し込まれたり、回転させられたりという動作が、ユーザーが意図しないときに不用意に行われると、時計の動作に不都合が生じる。そのため、通常使用時にはリューズに指や他の物体を触れ難くするような、ガード機構をリューズの周囲に設けることが行われている。また、時計を操作するプッシュボタンに対しても、不用意な押し込み動作を防止する類似のガード機構がある。
【０００４】
そのような機構の従来技術の例を、下記特許文献を用いて説明する。
【先行技術文献】
【特許文献】
【０００５】
【特許文献１】特開２００３−２９４８６２号公報
【特許文献２】実開平７−２３２９４号公報
【０００６】
以下、特許文献１に記載された構造を従来例１とし、特許文献２に記載された構造を従来例２〜４としてそれらの概要を説明する。
【０００７】
まず、従来例１について図４、図５を用いて説明する。図４は、従来例１の構造を有する腕時計の要部を示す正面図、図５は、そのＢ−Ｂ断面図である。
【０００８】
４０１は時計ケースであり、その円筒形をなすケース胴４０２の側面からは、時計表示面に平行でかつ９時の方向に、２つの突出部であるリューズガード部４０７が突出している。リューズガード部４０７は、ケース胴４０２の９時方向に設けられたリューズ４１１の側面（６時側、１２時側）を時計面に平行に挟むように配置されている。
【０００９】
湾曲した形状のロック片４０６は、リューズガード部４０７の一方の上面側に軸部４０８によって軸止され、時計面に平行に回転可能である。通常状態ではロック片４０６はリューズ４１１の上面を覆ってリューズ操作をできなくした位置にあるが、図４ではこれを円弧Ｙで示すように時計方向に開いて、リューズ操作を可能にした状態を示している。
【００１０】
軸部４０８は段付きネジであり、その軸部はロック片４０６とリューズガード部４０７の一方の上部を貫通し、その軸穴４０７ａ内でナット部材４１３により止められている。
【００１１】
ロック片４０６が通常携帯時の閉じた状態では、その下面側に設けた盲穴である係合部４０６ａには、リューズガード部４０７の一方に設けられ、コイルバネ４０９により上方に付勢されている軸４１０の上端部４１０ａが嵌入している。ロック片４０６を図４のような状態に開くには、リューズガード部４０６の下面において、軸４１０の下端部４１０ｂを指の爪などでつまんでバネ力に抗して下方に引き、上端部４１０ａを係合部４０６ａから抜いておき（図５）、他の指でロック片４０６を回転させる操作を行う必要がある。
【００１２】
ロック片４０６を開いてリューズ４１１を操作する場合は、指でリューズ４１１を時計の上下（表裏）から挟んで回転させる。リューズ４１１の上部はロック片４０６で通常時は覆われているため、リューズ４１１の直径はあまり大きくすることができない。そのような径小のリューズ４１１をリューズガード部４０７の上下から指でつまんで回し易くするため、リューズガード部４０７のリューズ側４箇所には、斜面４０７ｂを設ける。
【００１３】
固定リング４０５は、ケース胴４０２に刻まれた雄ネジに噛み合う雌ネジを備え（両ネジは図示せず）、時計上面にあって回転可能なレジスタリング４０３の更に上面側に被せられ、レジスタリング４０３をケース上端との間に挟みこむことによって保持する役割を担っている。ロック片４０６は、通常の閉じた状態にあるとき、その鍔部４０８は、固定リング４０５の外周に設けた溝である周状凹部４０５ｃに嵌り込んでいる。即ち、鍔部４０６ｂは、固定リング４０５が上方に抜けるように緩むことを防止する機能を与えられている。なお、時計ケース４０１の最下端には、裏蓋４１２がある。
【００１４】
次に、従来例２について図６、図７を用いて説明する。図６は、従来例２の構造を有する腕時計の要部を示す正面図、図７は、そのＣ−Ｃ矢視方向の側面図であり、特許文献２において第１実施例として記載されたものである。
【００１５】
時計ケース６１０は、例えばその２時方向にプッシュボタン６１２を備えている。それが誤操作によって押されることを防止するため、プッシュボタン６１２の外側と側面を囲むように、カバー部材６１３を更に備えている。カバー部材６１３は、時計ケース６１０の側面に設けた軸部６１５の回りに、図７の円弧Ｚで示すように、時計面に垂直な方向に回動し得る。回動後の位置を図７に細線（２点鎖線）で図示した。
【００１６】
プッシュボタン６１２を押せないように保護している通常の状態では、カバー部材に設けた係合部６１３ａと、時計ケース６１０の側面に設けた係止部材６１４とが係合している。この係合を手動で外してカバー部材６１３を持ち上げることにより、プッシュボタン６１２が操作可能となる。
【００１７】
次に、従来例３について説明する。従来例３は、特許文献２（実開平７−２３２９４号公報）に記載された第２実施例である。本明細書には図示しない。
特許文献２には、第２実施例として、図６に示すカバー部材６１３と類似の形状のカバー部材を、従来例１、図４のロック片４０６の如く時計面に平行に回転させて、プッシュボタン６１２から遠ざけるように開く構成も記載されている（特許文献２の段落００１２及び図３参照）。しかし、その係止機構は十分詳細に記載されているとは言えない。
【００１８】
次に、従来例４について説明する。従来例４は、特許文献２（実開平７−２３２９４号公報）に記載された第３実施例である。本明細書には図示しない。
特許文献２には、第３実施例として、図６に示すカバー部材６１３と類似の形状のカバー部材を、図７の如く時計面に垂直な面内で回転させる場合に、係合部６１３ａの下端部を膨大させ、その部分に係合する係止板を、バネ（弾性部材）に抗して時計面に平行に押す操作によって係合を解除する係止部材の構造が記載されている。この係止部材の構造は、折り畳み型時計バンドにおいて、畳んだ状態でバンドをロックし、バンドの側方に突出した部分を押して解除する機構を備えた尾錠の有する機構に類似している（特許文献２の段落００１３及び図４参照）。
【発明の概要】
【発明が解決しようとする課題】
【００１９】
以下、従来例１〜４における問題点と、本発明の課題および目的とについて記載する。
【００２０】
＜従来例１の問題点＞
リューズ４１１を覆っているロック片４０６を開くには、軸４１０の下端部４１０ｂ（図５）を腕時計の下面側からつまんで下方に引かなければならない。この操作をする場合、時計を腕から外さない限り極めてやり難く、急ぎの場合、操作が間に合わないことがある。ロック片が９時側（肘側）にある場合はなおさらである。また、ロック片が閉じているときはリューズ４１１の上側のみを覆っているので、確かにリューズの回転はほぼ防止することができるが、リューズの引き出しは妨げられないので、万一の誤操作の恐れがないとは言えない。また、ロック片４０６の下面につかえるような径大のリューズは用い難い。
【００２１】
＜従来例２の問題点＞
カバー部材６１３は開いた状態では時計面に垂直に立つので、衣服の袖などに引っかかり易いし、比較的破損し易い形態であり、かつあまり美的でなくなる可能性がある。また、係止機構が単なる弾性的係合であるらしく、確実性にやや疑問がある。また、時計ケース６１０の側面に軸部６１５の加工を行うことがやや面倒であろう。
【００２２】
＜従来例３の問題点＞
カバー部材の軸部の構造や係止機構がほとんど記載されていない。また、プッシュボタン６１２に比して径の大きなリューズの外側全部を覆うようにすると、カバー部材の寸法が時計の厚さ方向に大きくなり、美的でなくなる可能性が大きい。
【００２３】
＜従来例４の問題点＞
側方からの押し操作は、時計を腕から外さず操作できる点では望ましいが、係止および係止を解除する部材としての、係止板と、それを付勢するバネを内蔵する係止部材は、折り畳みバンドのロック機構を備えた尾錠に類似するので平面積が大きく、腕時計の側方に張り出し過ぎる。この構造をコンパクトにまとめることは極めて困難である。
【００２４】
上記各従来例の問題点より、リューズの誤操作防止作用が確実であり、開閉操作が容易でかつコンパクトであって安全性があり、美観をも発揮できるリューズガード機構がまだ実現していないことが明らかとなった。これらを解決することが本発明の課題となる。
【００２５】
＜発明の目的＞
本発明は、誤操作防止機能が確実かつコンパクトで、開閉操作が容易であり、解除時に破損に対する安全性が高くかつリューズの操作性もよいリューズガード機構を提供することを目的とする。
【課題を解決するための手段】
【００２６】
本発明のリューズガード機構は、時計ケース胴の側面に突出しているリューズが不用意に操作されることを防止する機能を有する構造体であって、時計を正面から眺めたとき前記リューズの両側面と外側を囲む可動のガード部材を設け、前記時計ケース胴の側面には、前記ガード部材の両端部のそれぞれに対して時計の下面側または上面側から重なる２つの突出部を設け、前記ガード部材の一方の端部は前記突出部の一方に対して軸止されていると共に、前記ガード部材の他方の端部と前記突出部の他方との間には、前記時計の上面側または下面側から押す操作によって解除できる係止機構を設け、前記リューズの操作をするときは、前記係止機構を解除して前記ガード部材を時計面に平行に開いて前記リューズから遠ざけることを特徴とする。
【００２７】
このように構成することにより、ガード部材を時計の上面または下面から操作して容易に開くことができる。また、通常時にはリューズの外側の上方を覆うことにより、リュー
ズの誤操作を確実に防止し、しかも比較的径大で操作し易いリューズを用いることもできる。
【００２８】
また、本発明のリューズガード機構において更に、前記係止機構は、前記ガード部材の他方の端部を時計の上面側または下面側から前記突出部の他方に向かって貫通する穴と、前記突出部の他方に備えられ、時計の上面側または下面側に付勢されて前記穴内に時計下面側または上面側から嵌入する突起を有する係止部材と、前記穴内を移動可能であって時計の上面側または下面側から押すことによって前記係止部材を前記穴内から排除できる係止解除部材とを含むようにしてもよい。
【００２９】
このように構成することにより、係止部材と係止解除部材を同軸としコンパクトに構成すると共に、係止解除操作を容易に行うことができる。
【００３０】
また、本発明のリューズガード機構において更に、前記係止解除部材の上端部または前記穴の上縁は、前記ガード部材に開き方向の力を加えるための引っかかりとしても機能するようにしてもよい。
【００３１】
このように構成することにより、係止部材を押しながらガード部材を開くことが極めて容易になる。
【００３２】
また、本発明のリューズガード機構において更に、前記係止解除部材は、前記穴内を摺動するプッシュボタンであり、該プッシュボタンは係止解除のため押し込まれたとき前記ガード部材の上面側または下面側に突出する部分を残し、該突出する部分は前記ガード部材を開くための指掛かりとなるようにしてもよい。
【００３３】
このように構成することにより、ガード部材を指先１本の力で容易に開くことができ、簡単かつ迅速にリューズ操作の態勢に入ることができる。
【００３４】
また、本発明のリューズガード機構において更に、前記係止解除部材は、前記穴内を摺動し、上端を先端の細い物体で押すことができる軸部材であり、該軸部材の上端は係止解除のため押し込まれたとき前記穴の上縁より僅かに沈むことにより、前記穴の上縁は前記先端の細い物体から加えられる、前記ガード部材を開く力を受けることができるようにしてもよい。
【００３５】
このように構成することにより、例えばボールペンなどを用いて、それを持ち替えたりすることなく、ガード部材を容易に開くことができる。
【００３６】
また、本発明のリューズガード機構において更に、互いに接触する前記係止解除部材の下面と前記係止部材の突起の上面は、それぞれ凸面をなすようにしてもよい。
【００３７】
このように構成することにより、２つの凸面が互いに滑ることによって、ガード部材の開閉動作が円滑に行われる。
【００３８】
また、本発明のリューズガード機構において更に、前記ガード部材が開いた状態からリューズをガードする閉じた状態に復帰するとき、前記係止部材の突起に当接し、該突起を前記突出部の他方の内部に押し沈めて復帰を容易にするための斜面を、前記ガード部材の他方の端部の下側でかつ前記時計ケース胴に向かう部分に設けるようにしてもよい。
【００３９】
このように構成することにより、リューズ操作後、ガード部材を再び閉じる動作を円滑に行うことができる。
【００４０】
また、本発明のリューズガード機構において更に、前記ガード部材が閉じた状態にあるとき、該ガード部材の前記係止部材に近い部分の一部は、時計のベゼルの下面側に嵌入しているようにしてもよい。
【００４１】
このように構成することにより、ガード部材の先端部（プッシュボタン側）が時計の上面側に浮いたり、その結果変形したりすることを防止することができる。
【発明の効果】
【００４２】
本発明により、誤操作防止機能が確実かつコンパクトで、開閉操作が容易であり、解除時に安全性が高くかつリューズの操作性もよい、リューズガード機構を提供することができる。
【図面の簡単な説明】
【００４３】
【図１】本発明の実施例１の正面図である。
【図２】本発明の実施例１のＡ−Ａ断面図である。
【図３】本発明の実施例２の部分断面図である。
【図４】従来例１の構造を有する時計の要部を示す正面図である。
【図５】従来例１の時計のＢ−Ｂ断面図である。
【図６】従来例２の構造を有する時計の要部を示す正面図である。
【図７】従来例２の時計のＣ−Ｃ矢視方向の側面図である。
【発明を実施するための形態】
【００４４】
以下、リューズガード機構を時計の上面側からの操作によって容易に開き、かつリューズの操作後は容易に閉じることができる機構を、図面（図１〜３）を援用して説明する。
【実施例１】
【００４５】
＜図１、２参照＞
図１は本発明の実施例１である時計の正面図、図２はそのＡ−Ａ断面図である。時計の内部機構（ムーブメントまたはモジュール）は図示されない。
【００４６】
１は時計（腕時計）であり、その外装（ケース）の外観を示す。なお、時計の表示面を図１の前面側とし、図２においては時計の表示面側を上面または上側、裏蓋５の側を下面または下側とする。２はケース胴であり、実質的にケースの本体（土台）部分をなす。なお、ケース胴２の最上面側には、風防ガラス４を担持するベゼル３が嵌合し（パッキン１４を介する）、ケース胴２の下面側には裏蓋５が嵌合する（パッキン１５が挟持される）。
【００４７】
ケース胴２の３時方向には、リューズ６を設ける。リューズ６は時計１の時刻修正または他の機能への変更や機能の制御等の操作を行うためのものである。通常の設計では、時計１が普通に携帯されるときのリューズ６の通常位置では回転しても何らの作用もせず、１段または更に引き出した位置（クリック感を伴う）で回転することにより、表示や機能の変更が行われることが多い。なお、リューズ６を通常位置から更にバネ力に抗して押し込むと、異なる機能が行われることもある。
【００４８】
ケース胴２の３時側側面には、リューズ６を両側（時計１の１２時側と６時側）から挟むように、上下の面が平らな２つの突出部２ａと２ｂがケース胴２と一体的な加工によって設けられている。それら突出部の上面側には、それらと摺動して時計１の表示面に平行な面内で回転し得るガード部材７が配置されている。
【００４９】
ガード部材７は、平面形状がほぼ「コ」字状をなす部材であり、図１に示すようにリューズ６の両側（６時側すなわち図１の上側および１２時側すなわち図１の下側）と３時方向外側すなわち図１の右側を囲む位置にある。
【００５０】
ケース胴２の側面（ケース胴２の厚さ方向）において、リューズ側からガード部材７を見たとき、ガード部材７は図２に示すように、突出部２ａ、２ｂの厚さよりも大きな直径を持つリューズ６の、突出部２ａ、２ｂの上側に出た部分と重なっている。なお、リューズ６の、突出部２ａ、２ｂの厚みの中間にある部分や、突出部の下面側に出た部分を覆う部材はない。
【００５１】
ガード部材７が、図１に太い実線で示した通常状態にあるときは、リューズ６を通常位置から引き出すことができない。よって、リューズ６が通常位置で回転しても時計の機能に影響を与えない前述のような設計がなされていれば、リューズ６による操作はできないことになり、誤操作は完全に防止される。（なお、図４に示す従来例１ではリューズの引き出しは防止されていない。）
【００５２】
また、リューズ６の上側および外側が囲まれていてリューズ６に不用意に触れることが困難であるため、たとえ通常位置でリューズ６による操作（回転または押し込みによる）が可能な機能設計であったとしても、誤操作は高い確率で防止できる。
【００５３】
また、図１に示すように、リューズ６は時計１の上方（表示面側）から視認できる。すなわち、時計の機能を操作するための部材の所在と、それが確実にガードされていることをユーザーに認知させ、安心感と好感を与え、購買欲を刺激することができる。これは、機能を強調して時計のデザインを魅力的にするための重要な事項である。（ロック片４０６がリューズ４１１の上側を覆っているためリューズが視認できず、またリューズ４１１も比較的径小となる図４、図５の従来例１と対比されたい。また、従来例２等のプッシュボタン６１２は、視認できてもあまり機能感を与えないと思われる。）
【００５４】
「コ」字状をなすガード部材７の一端は、回転軸部材８によって突出部２ａ上に軸止され、通常は図１で太い実線で示すように閉じているが、円弧Ｘおよび細線で示すように、時計１の面に平行に回転させることによってリューズ６から遠ざけるように開くことができ、リューズ６による機能操作を可能にする。図２に示すように、リューズ６の直径は大きく、図２の如く突出部２ａ、２ｂの上下にはみ出しているため、リューズ６はつまみやすく、必要に応じて容易かつ迅速に指で回転させることができ、突出部２ａ、２ｂにわざわざ斜面を設けなくともよくなる。
【００５５】
なお、本実施例では、リューズ６が突出部２ａ、２ｂの上下にはみ出しているが、これは必須ではなく、リューズの形状や大きさによっては突出部２ａ、２ｂの上下にはみ出さなくてもよい。
【００５６】
回転軸部材８は、突出部２ａに螺着された段付きネジであって、その軸部はガード部材７の回転軸穴７ａと嵌合している。なお、適度な回転摩擦力を得るため、パッキン８ａをネジの頭部に噛ませている。
【００５７】
突出部２ｂには、ガード部材７を通常位置に係止するための係止部材１１が設けられ、また図１の通常位置において係止部材１１と重なるガード部材７の他端には、係止解除部材であるプッシュボタン９が設けられる。
【００５８】
係止部材１１は、上端が凸面１１ａ（滑らかな球状面の一部であることが望ましい）、その下部が円筒面、更にその下に鍔部、更に下部に細くなった軸部を有する部材で、突出部２ｂに設けた穴内に圧入または接着された下スリーブ１２の内部に、鍔部を上方に付勢するコイルバネ１３と共に納められている。鍔部は下スリーブ１２の上部径より大きく、抜け止めともなっている。
【００５９】
プッシュボタン９は、その上部がガード部材７の上面に突出している。その下に抜け止めのための鍔部を有し、更に下に軸部が続き、軸部の最下端は凸面９ａ（滑らかな球状面の一部であることが望ましい）としてある。軸部はガード部材７に設けた貫通穴７ｂに下方から圧入または接着した上スリーブ１０内を上下方向に摺動できる。
【００６０】
係止部材１１の円筒面の一部は、コイルバネ１３の付勢により、突出部２ｂの上面から僅かに突出しており、その突出した部分は、通常状態ではカバー部材７の上スリーブ１０の下端に遊合し、これによって、ガード部材７はリューズ６の誤操作を防止する通常位置に係止されている。また、プッシュボタン９の自重により、凸面９ａと凸面１１ａとは接触している。
【００６１】
係合解除部材であるプッシュボタン９を指などでコイルバネ１３の力に抗して下向きに押し込むと、係止部材１１は下降し、凸面９ａと凸面１１ａとの接触位置が、突出部２ａ、２ｂとガード部材７との合わせ面とほぼ同じ位置まで下がり（このとき、プッシュボタン９の鍔部が上スリーブ１０の上端に接触し適宜な位置で下降が止まることが望ましい）、係合部材１１による係合は解除され、ガード部材７を開くことができる。
【００６２】
プッシュボタン９、上スリーブ１０、係合部材１１、下スリーブ１２、コイルバネ１３などは、通常位置においてはすべて同軸となるので、平面的には最小の面積内に配置されることになり、極めてコンパクトな係合および係合解除の機構を実現することができた。
【００６３】
係合が解除された位置では、プッシュボタン９の上端部はカバー部材７の上面から僅か（例えば１〜２ｍｍ）突出して残るようにしておくと、それが指がかりとなり、そのまま指を時計の３時方向に引いて、カバー部材７を楽に開き、続くリューズ６の操作を速やかに行うことができる。カバー部材７の開閉や、リューズ６の操作（指一本で上側から触れて回転させることもできる）は、時計を腕に装着したままでも可能である。
【００６４】
開いたガード部材７を通常位置に戻して閉じるときには、係止部材１１の円筒部が突出部２ｂの上部に出ており、そのままでは復帰の邪魔になる。閉じ操作を容易にするため、ガード部材７の係止部材１１との接触部付近に斜面７ｄを設ける。復帰動作時には、斜面７ｄが係止部材１１の上面と接触するようにし、係止部材１１を突出部２ｂ内に押し沈めるようにすることで、復帰が滑らかに行われるようになる。
【００６５】
また、ガード部材７の一端部に設けた嵌入部７ｅは、通常時において、ベゼル３の下側のケース胴２の一部に設けた凹部２ｃ（図２）の内部に入り込み、嵌入部７ｅの上部にはベゼル３が位置する。通常位置にあるガード部材７に、万一上方への力が作用したとき、ケース胴２の上部に強固に圧入または接着されるベゼル３によって、ガード部材７の浮き上がりを防止し、規制する。この構造により、薄いガード部材でも使用することができる。（従来例１では、ロック片４０６の鍔部４０６ｂが固定リング４０５の浮きを防止したが、本実施例１では、ベゼル３と嵌入部７ｃによって、ガード部材７自体の浮きが防止さ
れるという作用効果の相違がある。）
【実施例２】
【００６６】
図３は本発明の実施例２の部分断面図で、実施例１と相違する部分のみを示したものである。
【００６７】
実施例１との相違点は、まずプッシュボタン９の上部の高さが低く、係止部材１１とコイルバネ１３（図２に同じであるので図３には図示せず）によって下方から押し上げられた状態であってもプッシュボタンの上端はカバー部材７の上面から実質的に突出していないことである。このことにより、カバー部材７が誤操作によって開くことをより完全に防止することができる。
【００６８】
プッシュボタン９の上面には凹部９ｂが加工されている。この部分を、例えばボールペンや精密ドライバーのような、先端部を細くされた操作用具１６で突くことにより、プッシュボタン９を沈め、カバー部材７の係合を解除する。そのまま操作用具１６を３時方向に引くと、操作用具１６の先端部側面は貫通穴７ｂの上縁７ｃを押し、操作用具１６を持ち替えたりすることなく、ガード部材７は直ちに開かれる。
【００６９】
＜その他の実施例または変形例＞
以上に記した実施例以外にも、本発明は様々な変形や他の実施形態への変更が可能である。例えば、凸面９ａや１１ａの周縁部、上スリーブ１０の下端の内側、などに細い面取りを設けて係合動作や解除動作を一層円滑にすること、ガード部材７の中央部付近の下方にリューズ６の下方部外側をも覆う垂下部分を設けること、突出部２ａ、２ｂの厚さまたは上面の高さ位置を不同とし、厚さが部分的に異なるガード部材を用いること、等がある。
【００７０】
また、以上に記した実施例では、時計上面側から操作する場合を説明したが、時計下面側に同様な構造を配置して操作することももちろん可能である。
【００７１】
また、回転軸部材８に段付きネジ以外の軸部材を用いること、コイルバネ１３に替えて板バネを用いること（対応する構造変更を伴う）、プッシュボタン形状ではない他の形態の係合解除部材を設けること、あるいはガード部材７がリューズ６の上部をも覆うようにし、その際ガード部材の下面にはリューズ６の上部を収容する刳りこみ部を設けること等、様々な実施の態様が考えられる。
【符号の説明】
【００７２】
１  時計
２  ケース胴
２ａ、２ｂ  突出部
２ｃ  凹部
３  ベゼル
４  風防ガラス
５  裏蓋
６  リューズ
７  ガード部材
７ａ  回転軸穴
７ｂ  貫通穴
７ｃ  上縁部
７ｄ  斜面
７ｅ  嵌入部
８  回転軸部材
８ａ  パッキン
９  プッシュボタン
９ａ  凸面
９ｂ  凹部
１０  上スリーブ
１１  下スリーブ
１１ａ  凸面
１２  下スリーブ
１３  コイルバネ
１４、１５  パッキン
１６  操作用具  
４０２  ケース胴
４０３  レジスタリング
４０５  固定リング
４０５ｃ  周状凹部
４０６  ロック片
４０６ａ  係合部
４０６ｂ  鍔部
４０７  リューズガード部
４０７ａ  軸穴
４０７ｂ  斜面
４０８  軸部
４０９  コイルバネ
４１０  軸
４１０ａ  上端部
４１０ｂ  下端部
４１１  リューズ
４１２  裏蓋
４１３  ナット部材
６１０  時計ケース
６１２  プッシュボタン
６１３  カバー部材
６１３ａ  係合部
６１４  係止部材
６１５  軸部
【図１】
0005575676.tif 000002
【図２】
0005575676.tif 000003
【図３】
0005575676.tif 000004
【図４】
0005575676.tif 000005
【図５】
0005575676.tif 000006
【図６】
0005575676.tif 000007
【図７】
0005575676.tif 000008